(57)【特許請求の範囲】
【請求項１】
防水シートの周縁部を前後に挟み込むシート挟持装置において、
建造物の開口部の少なくとも左右両側部を構成する開口枠と、
前記開口部の少なくとも左右両側部に沿って設けられ、前記開口枠の前に突き合わせられて使用時に連結されるシート押え材と、
前記開口枠の前面と前記シート押え材の後面との間に設けられ、それぞれ硬質材からなる凹部と凸部との噛み合わせによって前記防水シートを挟持する凹凸噛合構造と、を備え、
前記開口枠の前面と前記シート押え材の後面のうち、いずれか一方に前記凹部が形成され、他方に前記凸部が形成されており、
前記凹凸噛合構造は、
前記開口枠の前面に突出した状態に設けられ、前記開口部の少なくとも左右両側部に沿って延在した一つまたは複数の第一突条と、
前記シート押え材の後面に突出した状態に設けられ、前記開口部の少なくとも左右両側部に沿って延在した一つまたは複数の第二突条と、によって構成され、
前記シート押え材が前記開口枠の前に突き合わせられた状態において前記第一突条と前記第二突条が前記開口部の径方向に互いに隣接することを特徴とするシート挟持装置。
【発明の詳細な説明】
【技術分野】
【０００１】
本発明は、防水シートの周縁部を前後に挟み込むシート挟持装置に関する。
【背景技術】
【０００２】
従来、出入口等の開口部において雨水等を防水シートによって堰き止めて、雨水等の侵入を防止する技術が知られている。特許文献１においては、防水シートの左右両側部を、開口部の左右両側部を構成している開口部縦枠と、これら開口部縦枠に対向する押さえ柱とによって挟み込んで、防水シートによる雨水等の堰き止めを行っている。
【先行技術文献】
【特許文献】
【０００３】
【特許文献１】特開２０１４−２３１７２０号公報
【発明の概要】
【発明が解決しようとする課題】
【０００４】
ところで、防水シートを挟持する装置においては、防水シートを挟み込んだ位置における雨水等の浸み込みを防ぐとともに、防水シートが受ける水圧に耐え得る挟み込み強度が必要とされている。
特許文献１においては、開口部縦枠に形成された凹溝にシリコーン製のシール材が嵌入固定され、防水シートの挟み込み時に当該シール材を、押さえ柱に形成された突条によって押圧変形させて、防水シートの挟み込みと水密性の確保を行っている。
ところが、特許文献１においては、開口部を構成する開口部縦枠が収納できるものではない。そのため、開口部縦枠に設けられたシール材も屋外に露出された状態となってしまい、シール材の劣化防止、延いては防水シートの挟み込み時における水密性確保の面で好ましくない。
本発明の課題は、挟み込み時における防水シートの抜けを抑えつつ、高い水密性を長期間にわたって維持できるシート挟持装置を提供することである。
【課題を解決するための手段】
【０００５】
請求項１に記載の発明は、例えば図１〜図７に示すように、防水シート２１の周縁部を前後に挟み込むシート挟持装置３０において、
建造物１の開口部２の少なくとも左右両側部を構成する開口枠４０と、
前記開口部２の少なくとも左右両側部に沿って設けられ、前記開口枠４０の前に突き合わせられて使用時に連結されるシート押え材５０と、
前記開口枠４０の前面と前記シート押え材５０の後面との間に設けられ、それぞれ硬質材からなる凹部（例えば突条７１，７２間）と凸部（例えば突条７３）との噛み合わせによって前記防水シート２１を挟持する凹凸噛合構造と、を備え、
前記開口枠４０の前面と前記シート押え材５０の後面のうち、いずれか一方に前記凹部が形成され、他方に前記凸部が形成されており、
前記凹凸噛合構造は、
前記開口枠４０の前面に突出した状態に設けられ、前記開口部２の少なくとも左右両側部に沿って延在した一つまたは複数の第一突条７１，７２と、
前記シート押え材５０の後面に突出した状態に設けられ、前記開口部２の少なくとも左右両側部に沿って延在した一つまたは複数の第二突条７３と、によって構成され、
前記シート押え材５０が前記開口枠４０の前に突き合わせられた状態において前記第一突条７１，７２と前記第二突条７３が前記開口部２の径方向に互いに隣接することを特徴とする。
【０００６】
請求項１に記載の発明によれば、開口枠４０の前面とシート押え材５０の後面との間に設けられ、それぞれ硬質材からなる凹部と凸部との噛み合わせによって防水シート２１を挟持する凹凸噛合構造を備えるので、シート押え材５０を開口枠４０の前に突き合わせると、防水シート２１の周縁部を凹部と凸部の隙間を縫うようにして設けることができる。よって、防水シート２１によって堰き止められる水の水圧が増えても、防水シート２１の周縁部がシート押え材５０と開口枠４０の間から抜けることを抑えることができる。
また、硬質材である凹部と凸部とが噛み合い、これらの間に防水シート２１が挟持されるので、例えば凹部と凸部とが軟質材である場合に比して、防水シート２１が受けた水圧に対して高い剛性を発揮する。したがって、防水シート２１の周縁部の、シート押え材５０と開口枠４０の間からの抜け防止に貢献できる。
さらに、凹部と凸部とが硬質材であるので、例えばゴム等の軟質材によって構成される場合に比して劣化しにくくなる。そして、このように凹部と凸部とが劣化しにくい状態であれば、防水シート２１の挟み込み時における水密性を長期間にわたって維持できる。
【０００８】
また、開口枠４０の前面とシート押え材５０の後面との間に間隔を空けたい時に、第一突条７１，７２と第二突条７３の突出分の間隔を空けることができる。
【発明の効果】
【００２１】
本発明によれば、挟み込み時における防水シートの抜けを抑えつつ、高い水密性を長期間にわたって維持できる。
【図面の簡単な説明】
【００２２】
【図１】組み立てられた防水装置を示す斜視図である。
【図２】同防水装置に備わるシート挟持装置の斜視図である。
【図３】同防水装置に備わるシート挟持装置の斜視図である。
【図４】同防水装置に備わる防水面材を示す正面図である。
【図５】第一突条および第二突条の形態を示す断面図である。
【図６】シート挟持装置の一例を示す斜視図である。
【図７】シート挟持装置の一例を示す斜視図である。
【図８】組み立て式のシート押え材を示す斜視図である。
【図９】シート押え材によって防水シートを保持する形態を示す図である。
【発明を実施するための形態】
【００２３】
以下、図面を参照して本発明の実施の形態について説明する。ただし、以下に述べる実施形態には、本発明を実施するために技術的に好ましい種々の限定が付されている。そのため、本発明の技術的範囲を以下の実施形態および図示例に限定するものではない。
【００２４】
図１は、建造物１の開口部２に設けられた防水装置１０を示した斜視図である。図２，図３は、この防水装置１０のシート挟持装置３０の斜視図である。図４は、この防水装置１０の防水面材２０の正面図である。図５は、第一突条と第二突条の形態を示す断面図である。
【００２５】
建造物１は、例えば建物（例えば、住宅、集合住宅、ビルディング、駅舎その他の建築物）の躯体（特に外壁であり、より具体的には一階または地階の外壁）、塀、門柱、通路の側壁、地下出入口構造物等である。ここで、地下出入口構造物とは、地下施設（例えば、地下鉄の駅構内、地下通路、地下街、地下室、地下駐車場等）から地上への階段または通路における地上の出入口を囲う構造物をいう。
【００２６】
開口部２の縁に沿った面が鉛直となっており、開口部２が底面５およびその左右の側部に位置する開口枠４０（縦枠４１，４２）によって囲われている。開口部２の上側が開放されているか、開口部２の上側が上部（上枠）によって囲われている。
開口部２の側部３，４は例えば外壁または垂直材（例えば、支柱、門柱、柱、縦枠）である。開口枠４０（縦枠４１，４２）は、側部３，４の縁部に沿って設けられている。すなわち、側部３，４および底面５と図示しない天井面によって建物構造としての開口部２が形成され、この開口部２を化粧したり、開閉機能を持たせたりするために開口枠４０（縦枠４１，４２）が設けられる。このようにして開口部２が構成されている。
【００２７】
この開口部２には、開口部２を開閉する開閉体（例えば扉、門扉、開き戸、引違い戸、引き戸、折り戸、はね上げ門扉、鎧戸（シャッター）、自動ドア、引違い窓、掃き出し窓、地窓）が設けられていてもよいし、そのような開閉体が設けられていなくてもよい。開閉体が強化ガラス製の面材、その他の透光性・透視性面材によって構成されていてもよい。
なお、開閉体が開き戸である場合、開閉体が防水シート２１よりも室内側に位置するので、浸水時でも開閉体を開閉できるように、開閉体が内開き戸であることが好ましい。
本実施の形態においては開閉体として内開き式のドア２ａが用いられている。また、ドア２ａの側部には、開口枠４０の内側に配置されてドア２ａを囲む枠状のドア枠４０ａ，４０ｂが設けられ、これらドア枠４０ａ，４０ｂと開口枠４０との間には外壁の一部として機能する面材４０ｃ，４０ｄが設けられている。
なお、面材４０ｃ，４０ｄとしては、強化ガラス製の面材や、その他の透光性・透視性面材、化粧壁等が用いられる。また、ドア枠４０ａ，４０ｂと開口枠４０（縦枠４１，４２）のそれぞれには、面材４０ｃ，４０ｄの両端部が水密に嵌め込まれる凹溝が形成されている。
【００２８】
防水装置１０は、防水面材２０と、防水面材２０を張った状態で且つその防水面材２０を立てた状態に固定するシート挟持装置３０と、防水面材２０の中央部を吊った状態で支持する間柱９０と、を備える。なお、開口部２の左右長が短い場合には、間柱９０が省略されてもよい。開口部２の左右長が長い場合、間柱９０の数が複数であり、これら間柱９０が間隔をおいて左右に配列されてもよい。
【００２９】
図１に示すように、豪雨等の非常時において、防水面材２０および間柱９０がシート挟持装置３０に組み付けられて、その防水面材２０がシート挟持装置３０によって固定され、開口部２の下部が防水面材２０によって塞がれる。なお、防水面材２０、シート挟持装置３０および間柱９０の上下長を開口部２の縦枠４１，４２の上下長以上として、開口部２の全体が防水面材２０によって塞がれてもよい。
【００３０】
図２に示すように、浸水の虞のない通常時において、防水面材２０および間柱９０がシート挟持装置３０から取り外される。そして、その防水面材２０および間柱９０は所定の場所（例えば、開口部２の近くの保管庫）に保管される。
【００３１】
図４に示すように、防水面材２０は、防水シート２１、支持竿２２、留め具２３，２４，２８、膨出部２９、目印２６および複数の摘み部２７，２７…を備える。
支持竿２２はステンレス製の丸棒である。
【００３２】
防水シート２１は長方形状または正方形状に形作られている。防水シート２１が遮水性を有し、水が防水シート２１を通過しない。防水シート２１が可撓性を有し、防水シート２１を丸めたり、曲げたり、折り畳んだりすることができる。
【００３３】
防水シート２１の上の縁部が折り返されて接合（例えば、折り返し縫い）されることによって、その縁部が筒状に設けられている。そして、支持竿２２がその筒状部分に挿入され、支持竿２２の両端部がその筒状部分の両端から突き出ており、留め具２３，２４が支持竿２２の両端部の周面に設けられている。また、その筒状部分の中央部が切り欠かれており、支持竿２２の中央部がその切り欠かれた部位で露出し、留め具２８がその支持竿２２の中央部に設けられている。
【００３４】
留め具２３，２４はそれぞれ支持竿２２の左端および右端の周面から径方向に延出した板状の片であり、留め具２３，２４には通し孔２３ａ，２４ａがそれぞれ形成されている。留め具２３，２４は支持竿２２に固定されている。
【００３５】
留め具２８が板状の片であり、留め具２８の端部に筒状部２８ｂが設けられ、支持竿２２がその筒状部２８ｂに挿入されている。そのため、留め具２８のラジアル荷重が支持竿２２に支持され、支持竿２２に対する留め具２８の周方向の動きおよび軸方向の動きは自由となっている。留め具２８には、引掛穴２８ａが形成されている。なお、留め具２８の数は間柱９０の数に等しく、間柱９０を省略した場合には留め具２８が設けられていない。
【００３６】
防水シート２１の左縁、下縁および右縁には、防水シート２１の厚み方向に膨出した膨出部２９が形成されている。
この膨出部２９は、防水シート２１の左上の角部から左縁、下縁および右縁を経由して防水シート２１の右上の角部までこれら左縁、下縁および右縁に沿って一繋がりに延びているとともに、防水シート２１に対して正対して見るとＵ字型（コ字型）に形作られている。
膨出部２９が防水シート２１の厚み方向に膨出するので、膨出部２９が防水シート２１の他の部位よりも厚く設けられている。
ここで、膨出部２９のうち防水シート２１の左の縁部に沿った部位２９ａを左膨出部２９ａといい、右の縁部に沿った部位２９ｂを右膨出部２９ｂといい、下の縁部に沿った部位２９ｃを下膨出部２９ｃという。膨出部２９には、芯材（例えば、可撓性の樹脂製芯材または可撓性の金属ワイヤー）が埋め込まれていることが好ましい。
この膨出部２９は、シート挟持装置３０によって防水シート２１の周縁部が挟まれた場合に、防水シート２１を挟んだ部材（第一突条７１，７２と第二突条７３）の外側に配置される。
【００３７】
膨出部２９は例えば次のようにして作成される。すなわち、防水シート２１の左縁部、下縁部および右縁部によって芯材（例えば、直径３〜４ｍｍ）を巻くようにして防水シート２１の左縁部、下縁部および右縁部を折り返し、その折り返し部の重なり合った部分を接合する。
【００３８】
摘み部２７，２７…は防水シート２１の左右の縁に設けられている。摘み部２７，２７…は例えば可撓性の樹脂片、ワイヤー、紐、ゴム片またはタグ等である。
目印２６は防水シート２１の表面に印刷されたものである。この目印２６は、防水シート２１の左右および下の縁よりも内側において防水シート２１の周縁と平行になった線である。目印２６と防水シート２１の周縁との間の間隔は後述の突条７１と突条７２の間隔よりもやや広い。
【００３９】
本実施の形態におけるシート挟持装置３０は、防水シート２１の周縁部を前後に挟み込むものであり、開口枠４０と、シート押え材５０と、連結手段と、第一突条７１，７２と、第二突条７３と、を備える。
【００４０】
本実施の形態において開口枠４０は、建造物１の開口部２の少なくとも左右両側部を構成するものであり、当該開口枠４０の内側が、出入口や通路とされた開口部２であるとともに、防水シート２１を受けるシート受け材として機能するものである。すなわち、開口枠４０は、開口部２を構成する枠体と、防水シート２１を受けるシート受け材とが一体化されたものである。
【００４１】
開口枠４０は、開口部２の左右両側部を構成する一対の縦枠４１，４２を有する。これら一対の縦枠４１，４２は、ステンレスやアルミニウム等の金属を押出成形してなる。ただしこれに限れるものではなく、硬質樹脂を押出成形してなるものでもよい。
なお、開口枠４０は、使用用途や使用場所に応じて断面形状を適宜変更してもよい（後述する突条１，７２，７３を除く）。例えば窓等の開口部を構成するものであれば、建具用のレールが形成されていたり、建造物１の壁に取り付けるための取付部を備えていたりしてもよい。
【００４２】
また、図２，図３に示す開口枠４０は、バリアフリーに対応するために下縁部が無い状態となっている。この場合には、凹部６の立壁面８をシート挟持装置３０の一部として機能させる。すなわち、後述するシート押え材５０の横押え部５３が凹部６の立壁面８に対向する。また、凹部６の立壁面８の前面と開口枠４０の縦枠４１，４２の前面は面一になっている。さらに、これら立壁面８と縦枠４１，４２は一体的であることが望ましい。つまり、凹部６の立壁面８は、開口部２の下縁部を構成するものでもあり、縦枠４１，４２と一体的であるとするならば、開口枠４０の横枠（下枠）として機能する。
この開口枠４０の前面には、後述する第一突条７１，７２が前方に突出した状態で設けられている。また、凹部６の立壁面８に対しても後述する第一突条７１，７２が前方に突出して設けられているものとする。これら開口枠４０と凹部６における第一突条７１，７２同士は連続的に設けられているものとする。
これを鑑みると、開口枠４０は、左右の縦枠４１，４２および下側の横枠４３を有し、縦枠４１，４２が互いに平行となって上下に延び、横枠４３が左右に延び、縦枠４１，４２の下端が横枠４３の左端と右端にそれぞれ連結されている。したがって、縦枠４１と横枠４３がこれらの間に直角な４５を形成し、縦枠４２と横枠４３がこれらの間に直角な角部４６を形成する。
【００４３】
開口枠４０は、建造物１の所定の位置において開口部２が形成された場所に、開口部２の縁部に沿って設けられている。
縦枠４１が開口部２の左縁に沿って設けられ、縦枠４２が開口部２の右縁に沿って設けられ、横枠に相当する凹部６の立壁面８が開口部２の下縁を構成するようにして設けられている。
横枠については、開口部２の底面５の屋外側の箇所に凹部６が形成され、その底面５と凹部６の底７とを結ぶ立壁面８が縦枠４１，４２の前面と面一になっている。なお、凹部６の底７には、一または複数の水抜き穴が設けられている。
【００４４】
シート押え材５０は、開口部２の少なくとも左右両側部に沿って設けられ、開口枠４０の前に突き合わせられて使用時に連結されるものである。
より具体的に説明すると、本実施の形態におけるシート押え材５０は、Ｕ字型に一繋がりに設けられたステンレスやアルミニウム等の金属製の角パイプである。
シート押え材５０が左右の縦押え部５１，５２および横押え部５３を有し、縦押え部５１，５２が互いに平行となって上下に延び、横押え部５３が左右に延び、縦押え部５１，５２の下端が横押え部５３の左端と右端にそれぞれ連結されている。
したがって、縦押え部５１と横押え部５３がこれらの間に直角な角部５５を形成し、縦押え部５２と横押え部５３がこれらの間に直角な角部５６を形成する。
【００４５】
シート押え材５０の後面が開口枠４０の前面に突き合わせられ、図示しない連結手段によってシート押え材５０が開口枠４０に連結されて固定されている。
具体的には、縦押え部５１，５２の後面が縦枠４１，４２の前面にそれぞれ突き合わせられ、横押え部５３の後面が凹部６の立壁面８に突き合わせられ、これによって防水シートを挟み込み、その状態を維持できるように連結手段によって連結固定されている。
【００４６】
なお、連結手段としては、例えばトグルラッチやパッチン錠等と呼称され、シート押え材５０と開口枠４０に跨る引き寄せ金具や、シート押え材５０の前面側から開口枠４０に向かって螺入されるボルト等の締結具、その他の連結具（例えば、クリップ、爪、フック、鋲、ゴム、バネ）が好適に採用される。すなわち、本発明の趣旨を逸脱しない範囲で適宜変更可能である。
【００４７】
連結手段による連結は解除可能である。連結手段の連結が解除されると、シート押え材５０が開口枠４０に対して接離可能となる。具体的には、シート押え材５０がその下端を回転軸として前後に傾動可能に設けられ、シート押え材５０が傾動動作によって開口枠４０に対して前後に接離する。つまり、シート押え材５０が前に（屋外側へ）倒伏すると、シート押え材５０が開口枠４０から離れ、シート押え材５０が後ろに（室内側へ）起立すると、シート押え材５０が開口枠４０に突き合わせられる。ここで、シート押え材５０の横押え部５３がヒンジ６０によって凹部６の底７に連結され、そのヒンジ６０の軸が左右に延在する。
【００４８】
シート押え材５０の可動範囲が０°を超え、９０°以下に制限されることが好ましい。例えば、シート押え材５０が開口枠４０に突き当てられた状態から最も前に倒れた状態までの回転角が所定角度（例えば、４５°）に制限される。その所定角度が小さいほど、シート押え材５０を倒伏・起立させる際のシート押え材５０の移動距離を短くすることができる。ただし、その所定角度は、シート押え材５０が最も前に倒れた状態において、防水シート２１の下縁部を凹部６の立壁面８と横押え部５３との間に挿入できる程度の角度とする。
【００４９】
シート押え材５０の可動範囲は例えば次の（ａ）〜（ｃ）のようにして制限される。
（ａ）  立壁面８の反対側の立壁面９がストッパとして機能する。つまり、シート押え材５０が最も前に倒れた状態では、シート押え材５０が立壁面９の上端に当接して、シート押え材５０の荷重が立壁面９の上端に受けられる。
（ｂ）  ヒンジ６０によってシート押え材５０の可動範囲が制限される。つまり、ヒンジ６０の開閉角が定まっており、シート押え材５０が最も前に倒れた状態ではヒンジ６０がそれ以上動かず、シート押え材５０の荷重がヒンジ６０に受けられて、ヒンジ６０がストッパとして機能する。
（ｃ）  可撓性線材（例えば、紐、ワイヤー、チェーン）がシート押え材５０と開口枠４０との間に連結され、シート押え材５０が最も前に倒れた状態では可撓性線材が張ることによって、シート押え材５０がそれ以上前に倒れない。
【００５０】
シート押え材５０の一対の縦押え部５１，５２のそれぞれには、防水面材２０の支持竿２２および留め具２３，２４の高さ位置に、当該支持竿２２および留め具２３，２４が挿入される切欠部６１が形成されている。
なお、本実施の形態においては、これら切欠部６１はシート押え材５０に形成されるものとしたが、これに限られるものではなく、開口枠４０に形成されてもよいし、開口枠４０とシート押え材５０の双方に形成されてもよい（図７参照）。
【００５１】
開口枠４０の前面および凹部６の立壁面８とシート押え材５０の後面との間には、それぞれ硬質材からなる凹部と凸部との噛み合わせによって防水シート２１を挟持する凹凸噛合構造が設けられている。
すなわち、開口枠４０の前面および凹部６の立壁面８とシート押え材５０の後面のうち、いずれか一方に凹部が形成され、他方に凸部が形成されており、これら凹部と凸部の噛み合わせに応じて、挟まれた防水シート２１も凹部と凸部の表面に沿って変形している。
【００５２】
より具体的に説明すると、開口枠４０の前面および凹部６の立壁面８には、開口枠４０の前面側から凹部６の立壁面８側にかけて、突条７１，７２（第一突条７１，７２）が突出した状態に設けられている。突条７１が開口枠４０の前面および凹部６の立壁面８の内縁に沿ってＵ字型に形作られている。突条７２が、突条７１から開口枠４０の前面および凹部６の立壁面８の外縁側へ離れて、突条７２と平行となるようにＵ字型に形作られている。
突条７１，７２は、Ｕ字型に曲げられたステンレスやアルミニウム等の金属製の硬質な丸棒を開口枠４０の前面および凹部６の立壁面８に溶接することによって得られたものである。そのため、突条７１，７２の頂面がシリンドリカル凸面状に形成されている。
ここで、突条７１，７２のうち縦枠４１の前面において縦方向に延びた部位７１ａ，７２ａを縦突条７１ａ，７２ａといい、縦枠４２の前面において縦方向に延びた部位７１ｂ，７２ｂを縦突条７１ｂ，７２ｂといい、凹部６の立壁面８において横方向に延びた部位７１ｃ，７２ｃを横突条７１ｃ，７２ｃという。
なお、突条７１，７２は、ステンレスやアルミニウム等の金属からなるものとしたが、これに限れるものではなく、硬質樹脂を押出成形してなるものでもよい。
【００５３】
シート押え材５０の後面には、突条７３（第二突条７３）が突出した状態に設けられている。突条７３がシート押え材５０のＵ字型に沿って設けられている。
突条７３は、Ｕ字型に曲げられたステンレスやアルミニウム等の金属製の硬質な丸棒をシート押え材５０の後面に溶接することによって得られたものである。突条７３の頂面がシリンドリカル凸面状に形成されている。
ここで、突条７３のうち縦押え部５１の後面において縦方向に延びた部位７３ａを縦突条７３ａといい、縦押え部５２の後面において縦方向に延びた部位７３ｂを縦突条７３ｂといい、横押え部５３の後面において横方向に延びた部位７３ｃを横突条７３ｃという。
なお、突条７３は、ステンレスやアルミニウム等の金属からなるものとしたが、これに限れるものではなく、硬質樹脂を押出成形してなるものでもよい。
【００５４】
突条７３の幅が突条７１から突条７２までの間隔に等しい。そして、シート押え材５０の後面が開口枠４０の前面に突き合わせられた場合に、前から向かって投影視して、突条７３が突条７１と突条７２の間の隙間に重なっている。突条７３が突条７１と突条７２の間の隙間に嵌まって、突条７３が突条７１，７２に櫛歯状に噛み合う。したがって、突条７３が突条７１の外縁側に隣接し、突条７２が突条７３の外縁側に隣接する。
この場合、開口枠４０および立壁面８における突条７１と突条７２との間が「凹部」となっており、シート押え材５０における突条７３が「凸部」となっている。換言すれば、本実施の形態における凹凸噛合構造は、開口枠４０の前面および凹部６の立壁面８に突出した状態に設けられた複数の第一突条７１，７２と、シート押え材５０の後面に突出した状態に設けられ一つの第二突条７３と、によって構成されている。そして、シート押え材５０が開口枠４０の前に突き合わせられた状態において第一突条７１，７２と第二突条７３が開口部２の径方向に互いに隣接している。
また、突条７１〜７３がステンレス鋼のように硬質な材料からなるので、突条７１〜７３の経年劣化を抑えることができる。
【００５５】
なお、２本の突条７１，７２が開口枠４０の後面に設けられているが、開口枠４０の前面に設けられる突条の数は３本以上でもよいし、１本でもよい。シート押え材５０の後面に設けられる突条の数は２本以上でもよい。
また、本実施の形態における突条７１〜７３は、図５（ａ）に示すように、硬質な丸棒が、開口枠４０およびシート押え材５０と一体的に設けられてなるものである。
その他にも、図５（ｂ）に示すように、突条７１´，７２´が開口枠４０と一体に押出成形されてなり、突条７３´がシート押え材５０と一体に押出成形されてなるものでもよい。
さらに、図５（ｃ）に示すように、開口枠４０に凹溝７４を形成して「凹部」とし、シート押え材５０に突条７３´を設けて「凸部」としてもよい。この場合、凹溝７４と突条７３´は同数である。また、図５（ｃ）の例では、開口枠４０の前面とシート押え材５０の後面との間隔がその突き合わせ時には狭くなるため、防水シート２１の膨出部２９は、縦枠４１（４２）および縦押え部５１（５２）の外側の側面よりも外側に配置される。
なお、図５の各例では、縦枠４１（４２）および縦押え部５１（５２）の場合を示しているが、凹部６の立壁面８（または横枠４３）と横押え部５３の場合も同様に、「凹部」と「凸部」を採用することができる。
【００５６】
引掛部８１が縦枠４１の前面の上部に突出した状態に設けられ、引掛部８２が縦枠４２の前面の上部に突出した状態に設けられている。
縦押え部５１，５２の後面の上部には穴が形成されており、シート押え材５０の後面が開口枠４０の前面に突き合わせられた場合、引掛部８１，８２がその穴に挿入される。
【００５７】
開口枠４０の縦枠４１，４２間の床面（底面５）には、間柱９０の下端を支持するとともに間柱９０を立てた状態に保持する支持部が設けられている（図示せず）。間柱９０の下端がこの支持部に対して着脱可能である。
【００５８】
必要に応じて、横桟材を取り付け可能なように、横桟材支持用の支持部が縦枠４１，４２および間柱９０に設けられてもよい。
【００５９】
図３に示すように、間柱９０の上端面には、係合凸部９１が設けられている。係合凸部９１の周面の上端には、径方向外方に突出したフランジ９２が設けられている。間柱９０の後面の上端には、前へ突出して上へ湾曲した板状のフック９３が設けられている。
【００６０】
続いて、防水装置１０の使用方法について説明する。
【００６１】
（Ａ）通常時における防水装置１０の状態
図２に示すように、間柱９０が外されているとともに、防水面材２０がシート挟持装置３０から外されている。防水面材２０の防水シート２１が支持竿２２に巻かれており、その状態で防水面材２０が開口部２の近くの保管庫等に保管されている。
【００６２】
シート押え材５０が起立した状態にある。そして、シート押え材５０の後面が開口枠４０の前面に突き合わせられ、連結手段によってシート押え材５０が開口枠４０に連結されている。突条７３が突条７１と突条７２の間の隙間に嵌まっている。
凹部６の上に板状の蓋９９が被せられ、凹部６が蓋９９によって閉塞されている。
【００６３】
（Ｂ）非常時における防水面材２０の設置方法
防水面材２０および間柱９０を準備する。
次に、蓋９９を外して、凹部６を露出させる。
次に、連結手段による開口枠４０とシート押え材５０の連結を解除する。
次に、図３に示すように、シート押え材５０を前に傾動させて、シート押え材５０を倒伏させる。こうすることによって、シート押え材５０の後面を開口枠４０の前面から離すとともに、突条７１と突条７２の間の隙間から突条７３を外す。また、間柱９０を設置する。必要に応じて、一または複数の横桟材を縦枠４１と縦枠４２との間に架け渡したり、一または複数の横桟材を縦枠４１と間柱９０との間に架け渡したり、一または複数の横桟材を縦枠４２と間柱９０との間に架け渡したりする。
【００６４】
次に、留め具２３，２４の通し孔２３ａ，２４ａに引掛部８１，８２をそれぞれ挿入して、留め具２３，２４を引掛部８１，８２にそれぞれ引っ掛ける。これにより、支持竿２２を縦枠４１の上部と縦枠４２の上部との間に架け渡す。また、留め具２８の引掛穴２８ａにフランジ９２および係合凸部９１に通して、留め具２８を間柱９０の上端面に載置するとともに、留め具２８の筒状部２８ｂをフック９３の上に引っ掛ける。こうすると、支持竿２２の中央部が間柱９０に支持され、支持竿２２の自重による撓みを抑えることができる。
【００６５】
また、防水シート２１を開口枠４０および立壁面８の前に垂らして、防水シート２１を支持竿２２から吊り下げた状態にする。そして、防水シート２１の下縁部を下に引っ張り、更に摘み部２７，２７…を摘んで防水シート２１を左右に引っ張り、突条７１，７２の縦突条７１ａ，７２ａの前に防水シート２１の左縁部を被せ、縦突条７１ｂ，７２ｂを前に防水シート２１の右縁部を被せ、横突条７１ｃ，７２ｃの前に防水シート２１の下縁部を被せる。防水シート２１を張ることによって目印２６を突条７１に近づかせることによって、膨出部２９の位置が突条７２よりも外側になる。こうして、膨出部２９を突条７２から外側へはみ出た状態にして、左膨出部２９ａを縦突条７２ａの左側に配置し、右膨出部２９ｂを縦突条７２ｂの右側に配置し、下膨出部２９ｃを横突条７２ｃの下側に配置する。
【００６６】
次に、シート押え材５０を後ろに傾動させて、シート押え材５０を立てる。こうすることによって、シート押え材５０の後面と開口枠４０の前面および凹部６の立壁面８との間に防水シート２１の周縁部を挟み込んで、シート押え材５０の後面を開口枠４０の前面および凹部６の立壁面８に突き合わせる。また、シート押え材５０の後面と開口枠４０の前面および凹部６の立壁面８の突き合わせによって突条７１と突条７２の間の隙間に突条７３を嵌めて、防水シート２１の周縁部がこれら突条７１〜７３の隙間を縫うようにして突条７１〜７３の噛み合いに巻き込まれる。また、留め具２３が縦枠４１と縦押え部５１の上端部との間に挟まれ、留め具２４が縦枠４２と縦押え部５２の上端部との間に挟まれる。
【００６７】
次に、図１に示すように、連結手段によってシート押え材５０を開口枠４０に連結して、防水装置１０の組立が完了する。このような連結によって、防水シート２１の周縁部を挟み込む荷重が増大し、防水シート２１の周縁部がシート押え材５０の後面と開口枠４０の前面との間から抜け難くなる。
【００６８】
（Ｃ）非常時から通常時に復帰したときにおける防水装置１０の解体方法
連結手段を外して、連結手段による開口枠４０とシート押え材５０の連結を解除する。
次に、シート押え材５０を前に傾動させて、シート押え材５０を倒伏させる。
次に、留め具２３，２４を引掛部８１，８２から外し、留め具２８を係合凸部９１から外し、支持竿２２を間柱９０および縦枠４１，４２から離す。そして、防水シート２１を支持竿２２に巻回することで棒状にする。また、横桟材を縦枠４１，４２および間柱９０から外すとともに、間柱９０を取り外す。
次に、シート押え材５０を後ろに傾動させて、シート押え材５０の後面を開口枠４０の前面に突き合わせる。そして、連結手段によってシート押え材５０を開口枠４０に締結する。
次に、凹部６の上に蓋９９を被せて、凹部６を蓋９９によって塞ぐ。
【００６９】
以上の防水装置１０は次のような効果をもたらす。
【００７０】
（１）  開口枠４０の前面とシート押え材５０の後面との間に設けられ、それぞれ硬質材からなる凹部と凸部との噛み合わせによって防水シート２１を挟持する凹凸噛合構造を備えるので、シート押え材５０を開口枠４０の前に突き合わせると、防水シート２１の周縁部を凹部と凸部の隙間を縫うようにして設けることができる。よって、防水シート２１によって堰き止められる水の水圧が増えても、防水シート２１の周縁部がシート押え材５０と開口枠４０の間から抜けることを抑えることができる。
また、硬質材である凹部と凸部とが噛み合い、これらの間に防水シート２１が挟持されるので、例えば凹部と凸部とが軟質材である場合に比して、防水シート２１が受けた水圧に対して高い剛性を発揮する。したがって、防水シート２１の周縁部の、シート押え材５０と開口枠４０の間からの抜け防止に貢献できる。
さらに、凹部と凸部とが硬質材であるので、例えばゴム等の軟質材によって構成される場合に比して劣化しにくくなる。そして、このように凹部と凸部とが劣化しにくい状態であれば、防水シート２１の挟み込み時における水密性を長期間にわたって維持できる。
【００７１】
（２）  開口枠４０の前面とシート押え材５０の後面との間に間隔を空けたい時に、第一突条７１，７２と第二突条７３の突出分の間隔を空けることができる。
【００７２】
（３）  第一突条７１，７２が開口枠４０と一体に押出成形されてなり、第二突条７３がシート押え材５０と一体に押出成形されてなるので、例えば第一突条７１，７２と第二突条７３が後付けされる場合に比して強度に優れ、水圧を受ける防水シート２１をより確実に挟み込むことができる。
【００７３】
（４）  開口枠４０が開口部２の左右両側部と下縁部とを構成するので、防水シート２１を張って防水シート２１の周縁部を開口枠４０の前に配置した状態で、シート押え材５０を開口枠４０の前に突き合わせてシート押え材５０を開口枠４０に押し当てることによって、防水シート２１の下縁部および側縁部をいっぺんにシート押え材５０と開口枠４０の間に挟み込むことができる。面状の防水シート２１の下縁部と側縁部をその面に垂直な方向に押さえるので、防水シート２１によって早く確実に止水面を形成することができる。
【００７４】
（５）  横枠が開口部２の下縁部を構成し、一対の縦枠４１，４２が開口部２の左右の縁を構成するので、防水シート２１を張って防水シート２１の左右の縁部を左右の縦枠４１，４２の前に配置し、防水シート２１の下縁部を横枠前に配置した状態で、シート押え材５０の横押え部５３および縦押え部５１，５２をそれぞれ開口枠４０の横枠および縦枠４１，４２の前に突き合わせることによって、防水シート２１の下縁部、左縁部および右縁部をいっぺんにシート押え材５０と開口枠４０の間に挟み込むことができる。よって、防水シート２１によって止水面を早く確実に形成することができる。
また、シート押え材５０がその下端を軸として前後に傾動可能に設けられているため、シート押え材５０を後ろに傾動させるだけで、防水シート２１の少なくとも下縁部、左縁部および右縁部をいっぺんにシート押え材５０と開口枠４０の間に挟み込むことができる。よって、防水シート２１よって止水面を早く確実に形成することができる。
【００７５】
〔変形例〕
上記実施形態の変形例について説明する。変形例については、上述のように構成された防水装置１０から変更した点の説明をする。変更点以外は上述の防水装置１０の構成と同様であるので、変更点以外の説明を省略する。また、次の各変形例に挙げる変更箇所を可能な限り組み合わせて適用してもよい。
【００７６】
〔変形例１〕
ヒンジ６０を省略し、シート押え材５０が凹部６の底７に連結されていない状態とする。また、この場合、連結手段を設ける位置を、シート押え材５０の縦押え部５１，５２と、開口枠４０の縦枠４１，４２の長さ方向に複数とする。
このようにすれば、連結手段の連結を解除して、シート押え材５０を開口枠４０から離してシート押え材５０を様々な場所に持ち運んだり、保管したりすることができる。
【００７７】
〔変形例２〕
本変形例２では、図６に示すように、開口枠４０の前側に、当該開口枠４０の前面よりも後面側に凹んでシート押え材５０を収容する収容凹部４７を形成する。また、シート押え材５０が収容凹部４７の前に突き合わせられた状態において、シート押え材５０の前面と、開口枠４０の前面とが面一となる。
このようにシート押え材５０が収容凹部４７の前に突き合わせられた状態において、シート押え材５０の前面と、開口枠４０の前面とが面一となっていれば、防水シート２１を挟み込まない場合においてシート押え材５０を開口枠４０と一体的に見せることができ、見映えが良い。
【００７８】
〔変形例３〕
凹部６の立壁面８を開口枠４０の横枠（下枠）として機能させていたが、図７に示すように、開口枠４０を、下枠である横枠４３のあるものとする。また併せて上枠である横枠４４のあるものとする。すなわち、開口枠４０を矩形枠とする。図７に示す例は、開口枠４０を、住宅等の建物の掃き出し窓の窓枠として使用したものである。開口枠４０内には建具２ｂ，２ｃ（ガラス付きの掃き出し窓）が設けられている。
この場合、開口枠４０は、開口部２の下縁部を構成する横枠４３と、開口部２の左右両側部を構成する一対の縦枠４１，４２と、横枠４３の側端部と縦枠４１，４２の下端部とを連結する角部４５，４６と、を有する。
シート押え材５０の横押え部５３は、開口枠４０の横枠４３の前に突き合わせられ、縦押え部５１，５２は、開口枠４０の縦枠４１，４２の前に突き合わせられる。
また、開口枠４０の前面には、突条７１，７２が突出した状態に設けられている。突条７１が開口枠４０の前面の内縁に沿ってＵ字型に形作られている。突条７２が、突条７１から開口枠４０の前面の外縁側へ離れて、突条７２と平行となるようにＵ字型に形作られている。
また、この場合、凹部６に相当するものが設けられていない。そして、シート押え材５０の横押え部５３はヒンジによって横枠４３に連結されている。
このようにすれば、開口枠４０が、矩形枠状に形成されて、住宅等の建物の窓に適用されていても好適に対応できる。また、図示はしないが、シート押え材５０も、開口枠４０に合わせて矩形枠状に形成してもよい。
【００７９】
〔変形例４〕
シート押え材５０は、図８に示すように、組み立て式であってもよい。また、この場合、ヒンジ６０を省略し、シート押え材５０が凹部６の底７に連結されていない状態とする。
また、シート押え材５０は、一方の縦押え部５１と一方の角部５５とが一体形成されたものと、他方の縦押え部５２と他方の角部５６とが一体形成されたものと、横押え部５３とに分割されている。そして、横押え部５３の両端部には凹状の被差込部５３ａが形成され、一方の縦押え部５１と一方の角部５５とが一体形成されたものの端部には凸状の差込部５５ａが形成され、他方の縦押え部５２と他方の角部５６とが一体形成されたものの端部には凸状の差込部５６ａが形成されている。差込部５５ａ，５６ａは、被差込部５３ａ，５３ａに対して差し込まれ、これによって、シート押え材５０が組み立てられる。
このようにシート押え材５０を組み立て式とすれば、分解して収納した時に場所を取らず、収納しやすい。また、縦押え部５１，５２と角部５５，５６とが一体形成されたものと、横押え部５３とに分割されているので、組み立てて使用した際に、防水シート２１の下縁部から側縁部にかけていっぺんに確実に挟み込むことができる。
【００８０】
〔変形例５〕
本変形例では、図９に示すように、防水シート２１が、シート押え材５０によって保持された状態で当該シート押え材５０と開口枠４０との間に挟み込まれている。
シート押え材５０の一対の縦押え部５１，５２の上端部に、間柱９０の上端部に設けられた係合凸部９１が適用されている。フランジ９２は、シート押え材５０の前面側に向けられており、フック９３が開口枠４０に向けられている。
防水面材２０には、留め具２３，２４の代わりに、係合凸部９１に係合される留め具２８と同様の構成の留め具２８´が適用されている。すなわち、留め具２８´の引掛穴２８ａにフランジ９２および係合凸部９１に通して、留め具２８´を縦押え部５１，５２の上端面に載置するとともに、留め具２８´の筒状部２８ｂをフック９３の上に引っ掛ける。こうすると、図９（ａ）に示すように、支持竿２２の両端部を一対の縦押え部５１，５２に引っ掛けることができるので、防水面材２０を、シート押え材５０と共に取り扱うことができる。特に、ヒンジ６０を省略し、シート押え材５０が凹部６の底７に連結されていない状態とした場合には、開口枠４０に引掛部８１，８２を必要としないので、引掛部８１，８２も省略することができる。したがって、シート押え材５０を通常に取り外す場合には、引掛部８１，８２が露出することが無いので、開口枠４０の見映えを向上できる。さらに、引掛部８１，８２が設けられない分、開口枠４０そのものの使い勝手の面で好適である。
【００８１】
〔変形例６〕
本変形例では、防水面材２０が凹部６の底７に接続されており、通常時には凹部６に収納され、使用時には凹部６から上方に引っ張り出されて、開口枠４０とシート押え材５０とに挟持される。
この時、シート押え材５０は、ヒンジ６０を省略し、シート押え材５０が凹部６の底７に連結されていない状態とする。もしくは、横押え部５３を省略した形態とする。
【００８２】
〔変形例７〕
本変形例では、シート押え材５０の一対の縦押え部５１，５２それぞれの横幅が、開口枠４０の一対の縦枠４１，４２それぞれの横幅よりも狭く形成されている。そして、通常時には、シート押え材５０の一対の縦押え部５１，５２がカバーによって被覆されている。
カバーは、開口枠４０の一対の縦枠４１，４２に対して取り付けることが可能となっており、取付時において、前面および側面が、一対の縦枠４１，４２の前面および側面と面一となる。
このようにすれば、通常時にシート挟持装置３０を隠しておくことができ、使用時には、カバーを取り外して防水面材２０を容易に取り付けることができる。
【００８３】
〔変形例８〕
本変形例では、シート押え材５０が、左右または上下に分割されている。つまり、横押え部５３がその中央部において二つに分割されているか、縦押え部５１，５２がその中央部において二つに分割されている。
シート押え材５０が左右に分割される場合は、その左右の分割体は、シート押え材５０がＵ字型の場合にはＬ型であり、シート押え材５０が矩形枠状である場合にはコ字型とされる。
シート押え材５０が上下に分割される場合は、シート押え材５０が矩形枠状であり、その上下の分割体は、コ字型である。
【００８４】
〔変形例９〕
本変形例９においては、図示はしないが、例えば店舗等に採用される所謂フロントサッシ等のように、建造物１の躯体である側部３，４から離間する位置に出入口が設けられる場合（間口に対して開口部２が幅狭に設けられる場合）に、この出入口用の開口部を構成するようにして開口枠４０が設けられている。より分かり易く説明すれば、図１等におけるドア枠４０ａ，４０ｂの位置に開口枠４０を適用した状態を指している。このような場合には、シート押え材５０も開口枠４０に対応する位置に設けられる。
ただし、所謂フロントサッシ形式の開口部であっても、開口枠４０を、建造物１の躯体である側部３，４に対して直接取り付けてもよい。より具体的には、上述の実施形態や変形例３に記載したように、開口枠４０を、開口部２を縁取るようにして建造物１の躯体である側部３，４に対して直接取り付けてもよいものとする。
【符号の説明】
【００８５】
１  建造物
２  開口部
６  凹部
８  立壁面（横枠）
１０  防水装置
２０  防水面材
２１  防水シート
２９  膨出部
３０  シート挟持装置
４０  開口枠
４１  左の縦枠
４２  右の縦枠
４３  横枠
５０  シート押え材
５１  左の縦押え部
５２  右の縦押え部
５３  横押え部
７１，７２  突条（第一突条）
７３  突条（第二突条）
【要約】
【課題】挟み込み時における防水シートの抜けを抑えつつ、高い水密性を長期間にわたって維持できるシート挟持装置を提供することである。
【解決手段】防水シート２１の周縁部を前後に挟み込むシート挟持装置３０が、建造物１の開口部２の少なくとも左右両側部を構成する開口枠４０と、開口部２の少なくとも左右両側部に沿って設けられ、開口枠４０の前に突き合わせられて使用時に連結されるシート押え材５０と、開口枠４０の前面とシート押え材５０の後面との間に設けられ、それぞれ硬質材からなる凹部と凸部との噛み合わせによって防水シート２１を挟持する凹凸噛合構造と、を備える。開口枠４０の前面とシート押え材５０の後面のうち、いずれか一方に凹部が形成され、他方に凸部が形成されている。
【選択図】図１【図１】
0005905621.tif 000002
【図２】
0005905621.tif 000003
【図３】
0005905621.tif 000004
【図４】
0005905621.tif 000005
【図５】
0005905621.tif 000006
【図６】
0005905621.tif 000007
【図７】
0005905621.tif 000008
【図８】
0005905621.tif 000009
【図９】
0005905621.tif 000010